(57)【要約】【課題】周囲に人がいても使用可能であり、また、持ち運びが容易で、かつ軽量な雨よけや日よけ用の用具を提供することを目的とする。【解決手段】リュックサック内部に台座部を配し、下端部が前記台座部に固定されると共に、上端部がリュックサックの外部に突出した支柱を設け、この支柱の上端部に屋根部を回動自在に設ける。これにより、後方に出っ張るフレームはなく、軽量でかつコンパクトなものとなり、周りに人がいても使用が可能となる。【選択図】図１
2018164597.tif 000002
【特許請求の範囲】
【請求項１】
リュックサック内部に台座部を配し、
下端部が前記台座部に固定されると共に、上端部がリュックサックの外部に突出した支柱を設け、
この支柱の上端部に屋根部を回動自在に設けた雨よけ・日よけ用具。
【請求項２】
前記屋根部は、折りたたみ可能な屋根フレームと、この屋根フレームに脱着自在の屋根シートからなる請求項１に記載の雨よけ・日よけ用具。
【請求項３】
前記支柱は、上部支柱と下部支柱の２本に分離可能であり、
前記下部支柱は、前記台座部に固定され、
前記上部支柱は、前記屋根フレームと回動自在に連結され、
前記の屋根フレーム及び上部支柱を、前記下部支柱から分離し、前記屋根シートを前記屋根フレームから外し、前記屋根フレームを折りたたむことにより、前記の屋根フレーム及び上部支柱及び前記屋根シートが前記リュックサックに収納される請求項２に記載の雨よけ・日よけ用具。
【発明の詳細な説明】
【技術分野】
【０００１】
この発明は、両手を開放した雨よけや日よけ用の用具に関する。
【背景技術】
【０００２】
傘は、一般的に手で持って使用する。このため、傘を差しているときは、少なくとも一方の手は使用しており、多くの荷物を持ったり、両手を用いての作業が困難となる場合が生じる。
【０００３】
これに対し、帽子に折りたたみ傘を取り付け、日よけや雨よけを行いたい場合は、帽子に取り付けられた傘を開き使用することが特許文献１に提案されている。これを用いると、傘を開いても両手が開放されているので、多くの荷物を持ったり、両手を用いての作業が可能となる。
【０００４】
また、背中に背負う背負い具に、上方に延びたフレーム及び頭を覆うフレームを取り付け、頭を覆うフレームにシートを配することにより、頭の上方を覆う傘が特許文献２に提案されている。
【先行技術文献】
【特許文献】
【０００５】
【特許文献１】特開２０１１−８９２３０号公報
【特許文献２】特開平０８−１２６５１０号公報
【発明の概要】
【発明が解決しようとする課題】
【０００６】
ところで、前記した特許文献１に記載の傘は、帽子に取り付けるため、帽子が重くなり、長時間被ると、首がこったりする不都合が生じる場合がある。
一方、特許文献２に記載の傘は、背負い具に取り付けられているので、特許文献１に記載の傘のような問題点は解消する。しかし、この傘は、後部フレームを有しており、後方に大きく出っ張っている。また、屋根フレームが左右や前に大きく、この傘を装着した人同士が近くに寄れない。これは、特許文献２に記載の傘は、農林土木等の作業者向けのものであり、これらの人の作業にとっては、この大きさは問題とならない。
しかし、観光地等、人の多くいる場所で使用するのは不適当な大きさとなる。
また、特許文献２に記載の傘は嵩張るため、持ち運びに不便である点や、重量もかなりあるので、背負って作業する際、この傘により疲れがより早く生じることがある。
【０００７】
そこで、この発明は、周囲に人がいても使用可能であり、また、持ち運びが容易で、かつ軽量な雨よけや日よけ用の用具を提供することを目的とする。
【課題を解決するための手段】
【０００８】
この発明は、下記の構成を有する雨よけ・日よけ用具を用いることにより、上記の課題を解決したのである。
［１］リュックサック内部に台座部を配し、下端部が前記台座部に固定されると共に、上端部がリュックサックの外部に突出した支柱を設け、この支柱の上端部に屋根部を回動自在に設けた雨よけ・日よけ用具。
［２］前記屋根部は、折りたたみ可能な屋根フレームと、この屋根フレームに脱着自在の屋根シートからなる［１］に記載の雨よけ・日よけ用具。
［３］前記支柱は、上部支柱と下部支柱の２本に分離可能であり、前記下部支柱は、前記台座部に固定され、前記上部支柱は、前記屋根フレームと回動自在に連結され、前記の屋根フレーム及び上部支柱を、前記下部支柱から分離し、前記屋根シートを前記屋根フレームから外し、前記屋根フレームを折りたたむことにより、前記の屋根フレーム及び上部支柱及び前記屋根シートが前記リュックサックに収納される［２］に記載の雨よけ・日よけ用具。
【発明の効果】
【０００９】
この発明によると、後方に出っ張るフレームはなく、リュックサック、台座部、支柱、屋根部のみからなるので、軽量でかつコンパクトなものとなり、周りに人がいても使用が可能となる。
さらに、屋根部が支柱に対して回動自在に設けられるので、前方から突風が吹いたとき、屋根部が後方に回動することができ、この突風により身体が後方に飛ばされることを防止できる。
また、屋根部は、折りたたみ可能な屋根フレームと、この屋根フレームに脱着自在の屋根シートから構成される場合、屋根シートを取り外し、屋根フレームを折りたたんで回動させることにより、屋根部を頭上から無くすことができ、強風に備えることができる。
さらにまた、支柱が上部支柱と下部支柱の２本に分離可能であり、下部支柱は、台座部に固定され、上部支柱は、屋根フレームと回動自在に連結される場合、屋根フレーム及び上部支柱を、下部支柱から分離し、屋根シートを屋根フレームから外し、屋根フレームを折りたたむことにより、屋根フレーム及び上部支柱及び前記屋根シートをリュックサックに収納することが可能となるので、持ち運びが容易となる。
【図面の簡単な説明】
【００１０】
【図１】この発明にかかる雨よけ・日よけ用具の使用例を示す模式図
【図２】この発明にかかる雨よけ・日よけ用具の構成の例を示す斜視図
【図３】図２の台座部、支柱、屋根部の例を示す斜視図
【図４】（ａ）（ｂ）（ｃ）台座部及び下部支柱の例を示す、正面、側面、底面の各図
【図５】（ａ）（ｂ）（ｃ）台座部及び下部支柱の他の例を示す、正面、側面、底面の各図、（ｄ）台座底部を下部支柱に沿わせた状態を示す正面図
【図６】（ａ）（ｂ）（ｃ）台座部及び下部支柱の他の例を示す、正面、側面、底面の各図
【図７】（ａ）（ｂ）（ｃ）屋根フレーム及び上部支柱を折りたたんだ状態を示す側面、正面、端面の各図
【図８】（ａ）屋根シートの背面図、（ｂ）屋根シートに中央フレームや側部フレームの構成部材を取り付けた状態を示す部分拡大断面図
【図９】この発明にかかる雨よけ・日よけ用具の構成の他の例を示す斜視図
【図１０】図９の台座部、支柱、屋根部の例を示す斜視図
【発明を実施するための形態】
【００１１】
この発明にかかる雨よけ・日よけ用具は、図１に示すように、リュックサック１１からその外部に支柱１２が突出し、その上端部に屋根部１３を設けた用具である。
具体的には、図２に示すように、リュックサック１１の内部に台座部１４が配され、前記支柱１２の下端部がこの台座部１４に固定される。また、支柱１２の上端部がばね付きヒンジ部１６を介して屋根部１３を構成する屋根フレーム１３ａと連結される。このばね付きヒンジ部１６により、屋根部１３（屋根フレーム１３ａ）は、支柱１２の上端部に対し、回動自在となる。
【００１２】
また、前記屋根部１３は、前記屋根フレーム１３ａと、この屋根フレーム１３ａに着脱自在の屋根シート１３ｂとからなる。
ところで、支柱１２は、リュックサック１１から外部に突出するが、リュックサック１１から外部に出る場所としては、図２に示すように、リュックサック１１の上部に穴１８を設け、ここから支柱１２を出してもよいし、また、図示しないが、リュックサック１１の開口部から支柱１２を出してもよい。この場合、穴１８を設けると、穴１８の周縁部で支柱１２が支持されることとなり、リュックサック１１内の台座部１４が安定になるので、より好ましい。
【００１３】
前記の支柱１２は、図３に示すように、前記台座部１４に固定された下部支柱１２ａと、前記屋根フレーム１３ａに回動自在に連結された上部支柱１２ｂとに分離可能である。
この下部支柱１２ａと上部支柱１２ｂの着脱の方法としては、例えば、図３や図４（ａ）（ｂ）に示すように、下部支柱１２ａの上端部にねじ部１７を取り付ける方法があげられる。このねじ部１７により、上部支柱１２ｂをねじ止めをしたり、外したりすることができ、両者の着脱を可能とすることができる。
また、他の方法としては、図５（ｂ）に示すように、下部支柱１２ａの上端部に穴１８を設け、図示しないが、上部支柱１２ｂの下端部に、ばねで付勢力を付けたピンを配する方法が挙げられる。これにより、ピンが穴１８に入ることにより、両者を結合し、ピンを押して、穴１８からピンを外すことにより、両者を離すことができる。
【００１４】
前記の台座部１４は、図４（ａ）〜（ｃ）に示すように、下部支柱１２ａの下端縁に取り付けた台座底部１４ａと下部支柱１２ａと台座底部１４ａとを支持する斜め支持部材１４ｂとからなる。
下部支柱１２ａの下端縁に台座底部１４ａが下部支柱１２ａに対して、ほぼ直角方向に取り付けられ、これらを斜めに支持する斜め支持部材１４ｂを取り付けるので、台座部１４によって、下部支柱１２ａを自立させることが可能となる。
【００１５】
ところで、台座底部１４ａの形状は、四角形であるが、この形状は、特に限定されるものではなく、使用するリュックサック１１の底面の形状に合わせて変更することができる。例えば、図５（ｃ）に示すような半円状の台座底部１４ａ’としてもよい。
【００１６】
さらに、図５（ａ）〜（ｄ）に示すように、台座底部１４ａ’は、下部支柱１２ａに沿うように動かせてもよい。このようにすることにより、この発明かかる雨よけ・日よけ用具をリュックサック１１内に収納する際、よりコンパクトにすることができる。
【００１７】
また、図６（ａ）〜（ｃ）に示すように、斜め支持部材を設けず、下部支柱１２ａの下端縁に台座底部支持部材１４ｃを固定して取り付け、この台座底部支持部材１４ｃに回動自在に台座底部１４ｄを取り付けた台座部１４を用いてもよい。台座底部支持部材１４ｃと台座底部１４ｄは、ねじ等の固定部１４ｅを締めたり緩めたりすることにより、下部支柱１２ａに対して、ほぼ直角方向に台座底部１４ｄを配して下部支柱１２ａを自立させたり、台座底部１４ｄを下部支柱１２ａに沿わせたりすることができる。
【００１８】
前記の屋根フレーム１３ａは、図３に示すように、中央部の中央フレーム１３ｃ、中央部の左右に回動自在に設けられた側部フレーム１３ｄ、１３ｅ、上部支柱１２ｂと中央フレーム１３ｃとを回動自在に連結するばね付きヒンジ部１６とから構成される。
この屋根フレーム１３ａは、図７（ｂ）（ｃ）に示すように、２つの側部フレーム１３ｄ、１３ｅを回動させて中央フレーム１３ｃに重ねることにより、屋根フレーム１３ａを折りたたむことができる。
また、図７（ａ）に示すように、上部支柱１２ｂをばね付きヒンジ部１６で回動させて、中央フレーム１３ｃに重ねることにより、屋根フレーム１３ｃ及び上部支柱１２ｂをコンパクトにすることができる。
【００１９】
また、前記屋根シート１３ｂには、その背面に、図８（ａ）に示すように、面ファスナー２０が設けられており、図８（ｂ）に示すように、屋根フレーム１３ａを構成する中央フレーム１３ｃ、側部フレーム１３ｄ、１３ｅの構成部材を面ファスナー２０で固定することにより、屋根シート１３ｂを屋根フレーム１３ａに取り付けることができる。一方、この面ファスナー２０から中央フレーム１３ｃ、側部フレーム１３ｄ、１３ｅの構成部材を外すことにより、屋根シート１３ｂを屋根フレーム１３ａから取り外すことができる。
【００２０】
これらの構成を有するので、図２に示すように、リュックサック１１の内部に台座底部１４ａを下部支柱１２ａに対してほぼ直角方向にして台座部１４を配し、下部支柱１２ａに上部支柱１２ｂを取り付け、屋根フレーム１３ａを回動させて、リュックサック１１とある側と反対側に、上部支柱１２ｂに対して、直角又はそれに近い角度にまで回動させ、側部フレーム１３ｄ、１３ｅを広げ、屋根シート１３ｂを屋根フレーム１３ａに取り付けることにより、この発明にかかる雨よけ・日よけ用具を組み立てることができる。そして、これを背負うことにより、屋根部１３が頭の上に配され、雨や日差しをよけることができる。
【００２１】
このとき、屋根部１３の大きさは、使用目的、使用場所に合わせて調整すれば、まわりに人がいても、邪魔にならないようにすることができる。
【００２２】
また、支柱１２がリュックサック１１に設けられた穴１８から出している場合、支柱１２が穴１８の周縁部で支持されることになり、リュックサック１１内で台座部１４が安定化し、この発明にかかる雨よけ・日よけ用具をリュックサック１１で安定に支持することができる。
さらに、リュックサック１１の内部において、台座部１４の台座底部１４ａ（１４ａ’、１４ｄ）を下部支柱１２ａに対してほぼ直角方向に配したとき、台座底部１４ａ（１４ａ’、１４ｄ）はリュックサック１１の底部に沿うこととなる。このため、リュックサック１１の内部に荷物を入れると、その荷物は、台座底部１４ａ（１４ａ’、１４ｄ）の上に載せられることとなり、台座底部１４ａを押さえる重しの役割を果たすことになる。このため、この荷物によっても、リュックサック１１内で台座部１４が安定化させることができ、この発明にかかる雨よけ・日よけ用具をリュックサック１１で安定に支持することができる。
【００２３】
また、前方から突風が吹いたとき、屋根部が支柱に対して回動自在に設けられるため、この屋根部が後方に回動されて、風力を後方に逃すことができ、この突風により身体が後方に飛ばされることを防止できる。
【００２４】
そして、収納する際は、前記の上部支柱１２ｂを前記下部支柱１２ａから分離することにより、屋根フレーム１３ａ及び上部支柱１２ｂを取り外し、屋根シート１３ｂを屋根フレーム１３ａから外し、側部フレーム１３ｄ、１３ｅを中央フレーム１３ｃ側に回動させて屋根フレームを折りたたみ、上部支柱１２ｂを回動させて、屋根フレーム１３ａの中央フレーム１３ｃに沿わせる。これにより、屋根フレーム１３ａ及び上部支柱１２ｂをコンパクト化することができ、これを屋根シート１３ｂと共にリュックサック１１の中に収納することができる。なお、台座部１４の台座底部１４ａ（１４ａ’、１４ｄ）は、リュックサック１１の大きさ、リュックサック１１に収納する他の物の大きさや量に応じて、下部支柱１２ａの沿わせたり、そのままにしてもよい。
【００２５】
ところで、雨よけ・日よけ用具の他の例として、図９や図１０に示す雨よけ・日よけ用具を用いることもできる。
この雨よけ・日よけ用具は、図９や図１０に示すように、支柱１２を２本以上の複数本を設けた場合である。複数本の支柱１２を設けるので、屋根部１３の支持をより確実なものとすることができる。
【００２６】
具体的に図９や図１０に示すように、支柱１２を２本用いた場合について説明する。
このとき、リュックサック１１に設けられる穴１８は、支柱１２の数に合わせて２箇所設けられる。穴１８を設けることによるリュックサック１１内の台座部１４の安定化は上記した１本の支柱の場合と同様である。
【００２７】
このとき、台座底部支持部材１４ｃ’には、２本の下部支柱１２ｃが固定して取り付けられ、台座底部１４ｄ’と共に台座部１４’が形成される。なお、台座部としては、この台座部１４’以外に、上記した台座底部１４ａと斜め支持部材１４ｂとからなる台座部１４や、台座底部１４ａ’と斜め支持部材１４ｂとからなる台座部１４の場合においても、同様に下部支柱１２ｃを固定して取り付けることにより、同様に用いることができる。
【００２８】
この２本の下部支柱１２ｃは、止めリング部１７ａを用いることにより、上部支柱１２ｄとの着脱を可能とすることができる。１本の支柱１２を用いる場合は、上記の通り、ねじ部１７を用いるが、これは、支柱１２が一本であるため、上部支柱１２ｂが下部支柱１２ａに対して、軸方向を軸に回転し、屋根部１３が回転するおそれがあるため、この回転を防止する目的で強く止める必要がある。これに対し、２本等の複数本の支柱１２を用いる場合は、屋根部１３の回転は生じないため、上部支柱１２ｄが下部支柱１２ｃに固定されればよく、ねじ等を用いてもよいが、止めリング等によりスライドが固定されれば十分である。
【００２９】
屋根部１３は、図９や図１０に示すように、２本の上部支柱１２ｄと２つのばね付きヒンジ部１６を介して連結される。
また、屋根部１３に用いられる屋根シート１３ｂ’は、上記の屋根シート１３ｂと同様のものを用いることができる。ところで、屋根シート１３ｂ’には、後頭部保護シート１３ｆが取り付けられている。これは、後頭部を直射日光から守るためのものであり、１本の支柱を用いる場合であっても、屋根シート１３ｂの代わりに後頭部保護シート１３ｆを有する屋根シート１３ｂ’を用いてもよい。
【００３０】
この発明に係る雨よけ・日よけ用具は、手に傘を持つ必要がないので、魚釣り、農作業や林作業、公園や道路等での植物保全作業等の外における各種作業を行う際に用いることができる。また、屋根部が余り大きくないので、人が集まる場所での使用が可能となる。さらに、荷物を持って外を移動する場合等にも使用でき、傘により手が塞がれるのを避けたい場合に有効である。
【符号の説明】
【００３１】
１１  リュックサック
１２  支柱
１２ａ、１２ｃ  下部支柱
１２ｂ、１２ｄ  上部支柱
１３  屋根部
１３ａ  屋根フレーム
１３ｂ、１３ｂ’  屋根シート
１３ｃ  中央フレーム
１３ｄ、１３ｅ  側部フレーム
１３ｆ  後頭部保護シート
１４、１４’  台座部
１４ａ、１４ａ’、１４ｄ、１４ｄ’  台座底部
１４ｂ  斜め支持部材
１４ｃ、１４ｃ’  台座底部支持部材
１４ｅ、１４ｄ’  固定部
１６  ばね付きヒンジ部
１７  ねじ部
１７ａ  止めリング部
１８  穴
２０  面ファスナー
【図１】
2018164597.tif 000003
【図２】
2018164597.tif 000004
【図３】
2018164597.tif 000005
【図４】
2018164597.tif 000006
【図５】
2018164597.tif 000007
【図６】
2018164597.tif 000008
【図７】
2018164597.tif 000009
【図８】
2018164597.tif 000010
【図９】
2018164597.tif 000011
【図１０】
2018164597.tif 000012